(57)【特許請求の範囲】
【請求項１】
シートを折り込み線により折り込んで形成した左中右の垂直壁のうち、中央の垂直壁の壁上端をその折り込み線に沿って片側から途中まで切り欠いて形成した挿入部と、左右の各々垂直壁の壁上端から下方に向けて形成した切り込み部とを有する中仕切りと、該中仕切りを挿入してなる外箱と、ブランクシートを山谷に交互に折り畳んだ４角形の部片を重ねた折り畳み部材の下部の折り重なった部分を互いに離れないように固定した固定部分と固定されてない非固定部分とからなる折り畳み部品とから構成され、前記固定部分を支点として非固定部分を扇状に開き、前記固定部分を前記中仕切りの挿入部内に挿入し、前記非固定部分の左端と右端のそれぞれ部片を、前記中仕切りの左と右の垂直壁の前記切り込み部に係止することを特徴とする扇状飾り付き贈答箱。
【請求項２】
シートを折り込み線により折り込んで形成した左中右の垂直壁のうち、中央の垂直壁の壁上端をその折り込み線に沿って片側から途中まで切り欠いて形成した挿入部を有する中仕切りと、該中仕切りを挿入してなる外箱と、ブランクシートを山谷に交互に折り畳んだ４角形の部片を重ねた折り畳み部材の左右端の各部片の外側端上部に隣接して各々係止片を備え、該折り畳み部材の下部の折り重なった部分を互いに離れないように固定した固定部分と固定されてない非固定部分とからなる折り畳み部品とから構成され、前記固定部分を支点として非固定部分を扇状に開き、前記固定部分を前記中仕切りの挿入部内に挿入し、前記非固定部分の左右端の各々係止片を、前記外箱と中仕切りとの隙間に挿入・係止することを特徴とする扇状飾り付き贈答箱。
【請求項３】
シートを折り込み線により折り込んで形成した左中右の垂直壁のうち、中央の垂直壁の壁上端をその折り込み線に沿って片側から途中まで切り欠いて形成した挿入部を有する中仕切りと、該中仕切りを挿入してなる外箱と、ブランクシートを山谷に交互に折り畳んだ４角形の部片を重ねた折り畳み部材の左端の部片の左側端上部と下部とに隣接してまたは右端の部片の右側端上部と下部とに隣接して各々係止片を備え、該折り畳み部材の中央部
の折り重なった部分を互いに離れないように固定した固定部分と上下に固定されてない非固定部分とからなる折り畳み部品とから構成され、前記固定部分を支点として前記係止片側の上下の非固定部分を扇状に開き互いに重ね合わせた該係止片を、前記中仕切りの中央の垂直壁の折り込み線に沿って片側から途中まで切り欠いた部分に形成された該中央の垂直壁の隙間内に挿入し、前記係止片と反対側端の部片の上辺と下辺とを、外箱と各々左右垂直壁との間のそれぞれ隙間に挿入・係止することを特徴とする扇状飾り付き贈答箱。
【請求項４】
シートを折り込み線により折り込んで形成した左中右の垂直壁のうち、中央の垂直壁の壁上端をその折り込み線に沿って片側から途中まで切り欠いて形成した挿入部と、左右の各々垂直壁の壁上端から下方に向けて形成した切り込み部とを有する中仕切りと、該中仕切りを挿入してなる外箱と、ブランクシートを山谷に交互に折り畳んだ４角形の部片を重ねた折り畳み部材の左右端の各部片の上部にそれぞれ孔設した各穴と、該それぞれ穴に通した紐状の係止部材とを備え、該折り畳み部材の下部の折り重なった部分を互いに離れないように固定した固定部分と固定されてない非固定部分とからなる折り畳み部品とから構成され、前記固定部分を支点として孔設側の非固定部分を扇状に開き、該固定部分を前記挿入部内に挿入し、前記非固定部分の左右端の紐状の各々係止部材を、外箱内に挿入した中仕切りの左右の垂直壁の前記切り込み部に係止することを特徴とする扇状飾り付き贈答箱。
【請求項５】
シートを折り込み線により折り込んで形成した左中右の垂直壁のうち、中央の垂直壁の壁上端をその折り込み線に沿って片側から途中まで切り欠いて形成した挿入部を有する中仕切りと、該中仕切りを挿入してなる外箱と、ブランクシートを山谷に交互に折り畳んだ４角形の部片を重ねた折り畳み部材の左端の部片の左側端上部と下部または右端の部片の右側端上部と下部とに孔設された各穴を備え、該折り畳み部材の中央部の折り重なった部分を互いに離れないように固定した固定部分と上下部に固定されてない非固定部分とからなる折り畳み部品とから構成され、前記固定部分を支点として孔設穴側の上下の非固定部分を扇状に開き、前記孔設穴を互いに重ね合わせて紐状の係止部材を通して結ぶことにより扇状に開いた状態を保ち、前記折り畳み部品の固定部分を、前記中仕切りの中央の垂直壁の折り込み線に沿って片側から途中まで切り欠いた部分に形成された該中央の垂直壁の隙間内に挿入し、前記孔設穴と反対側の部片の上辺と下辺とを、外箱と左右垂直壁との間のそれぞれ隙間に挿入・係止することを特徴とする扇状飾り付き贈答箱。
【発明の詳細な説明】
【０００１】
【発明の属する技術分野】
本発明は、立体的装飾効果を有する贈答箱用扇状飾りに関する。
【０００２】
【従来の技術】
従来より、商品（収納物）を贈答箱に入れて、商品売り場で陳列して、商品をより高級に見せたり、あるいはより人目をひく効果が出てくるために行われる。また贈答品として受け取った人についても、より高級に感じる為で有る。
更に、上記効果を高めるために、紙や紙に金箔を貼り付けた紙に印刷を施して扇状に打ち抜いてた飾りとし、贈答箱内に商品と一緒に取り付けることが行われる。
【０００３】
しかしながら、この紙製の扇状飾りはシート状であるので平面的であり、立体的効果を出したいという要望が強かった。
【０００４】
【発明が解決しようとする課題】
本発明は、かかる要望に答えた立体的装飾効果を有する贈答箱用扇状飾りを提供するものである。
【０００５】
【課題を解決するための手段】
本発明に於いて上記課題を達成するために、まず請求項１においては、シートを折り込み線により折り込んで形成した左中右の垂直壁のうち、中央の垂直壁の壁上端をその折り込み線に沿って片側から途中まで切り欠いて形成した挿入部と、左右の各々垂直壁の壁上端から下方に向けて形成した切り込み部とを有する中仕切りと、該中仕切りを挿入してなる外箱と、ブランクシートを山谷に交互に折り畳んだ４角形の部片を重ねた折り畳み部材の下部の折り重なった部分を互いに離れないように固定した固定部分と固定されてない非固定部分とからなる折り畳み部品とから構成され、前記固定部分を支点として非固定部分を扇状に開き、前記固定部分を前記中仕切りの挿入部内に挿入し、前記非固定部分の左端と右端のそれぞれ部片を、前記中仕切りの左と右の垂直壁の前記切り込み部に係止することを特徴とする扇状飾り付き贈答箱である。
【０００６】
また請求項２においては、シートを折り込み線により折り込んで形成した左中右の垂直壁のうち、中央の垂直壁の壁上端をその折り込み線に沿って片側から途中まで切り欠いて形成した挿入部を有する中仕切りと、該中仕切りを挿入してなる外箱と、ブランクシートを山谷に交互に折り畳んだ４角形の部片を重ねた折り畳み部材の左右端の各部片の外側端上部に隣接して各々係止片を備え、該折り畳み部材の下部の折り重なった部分を互いに離れないように固定した固定部分と固定されてない非固定部分とからなる折り畳み部品とから構成され、前記固定部分を支点として非固定部分を扇状に開き、前記固定部分を前記中仕切りの挿入部内に挿入し、前記非固定部分の左右端の各々係止片を、前記外箱と中仕切りとの隙間に挿入・係止することを特徴とする扇状飾り付き贈答箱である。
【０００７】
また請求項３においては、シートを折り込み線により折り込んで形成した左中右の垂直壁のうち、中央の垂直壁の壁上端をその折り込み線に沿って片側から途中まで切り欠いて形成した挿入部を有する中仕切りと、該中仕切りを挿入してなる外箱と、ブランクシートを山谷に交互に折り畳んだ４角形の部片を重ねた折り畳み部材の左端の部片の左側端上部と下部とに隣接してまたは右端の部片の右側端上部と下部とに隣接して各々係止片を備え、該折り畳み部材の中央部の折り重なった部分を互いに離れないように固定した固定部分と上下に固定されてない非固定部分とからなる折り畳み部品とから構成され、前記固定部分を支点として前記係止片側の上下の非固定部分を扇状に開き互いに重ね合わせた該係止片を、前記中仕切りの中央の垂直壁の折り込み線に沿って片側から途中まで切り欠いた部分に形成された該中央の垂直壁の隙間内に挿入し、前記係止片と反対側端の部片の上辺と下辺とを、外箱と各々左右垂直壁との間のそれぞれ隙間に挿入・係止することを特徴とする扇状飾り付き贈答箱である。
【０００８】
また請求項４においては、シートを折り込み線により折り込んで形成した左中右の垂直壁のうち、中央の垂直壁の壁上端をその折り込み線に沿って片側から途中まで切り欠いて形成した挿入部と、左右の各々垂直壁の壁上端から下方に向けて形成した切り込み部とを有する中仕切りと、該中仕切りを挿入してなる外箱と、ブランクシートを山谷に交互に折り畳んだ４角形の部片を重ねた折り畳み部材の左右端の各部片の上部にそれぞれ孔設した各穴と、該それぞれ穴に通した紐状の係止部材とを備え、該折り畳み部材の下部の折り重なった部分を互いに離れないように固定した固定部分と固定されてない非固定部分とからなる折り畳み部品とから構成され、前記固定部分を支点として孔設側の非固定部分を扇状に開き、該固定部分を前記挿入部内に挿入し、前記非固定部分の左右端の紐状の各々係止部材を、外箱内に挿入した中仕切りの左右の垂直壁の前記切り込み部に係止することを特徴とする扇状飾り付き贈答箱である。
【０００９】
また請求項５においては、シートを折り込み線により折り込んで形成した左中右の垂直壁のうち、中央の垂直壁の壁上端をその折り込み線に沿って片側から途中まで切り欠いて形成した挿入部を有する中仕切りと、該中仕切りを挿入してなる外箱と、ブランクシートを山谷に交互に折り畳んだ４角形の部片を重ねた折り畳み部材の左端の部片の左側端上部と下部または右端の部片の右側端上部と下部とに孔設された各穴を備え、該折り畳み部材の中央部の折り重なった部分を互いに離れないように固定した固定部分と上下部に固定されてない非固定部分とからなる折り畳み部品とから構成され、前記固定部分を支点として孔設穴側の上下の非固定部分を扇状に開き、前記孔設穴を互いに重ね合わせて紐状の係止部材を通して結ぶことにより扇状に開いた状態を保ち、前記折り畳み部品の固定部分を、前記中仕切りの中央の垂直壁の折り込み線に沿って片側から途中まで切り欠いた部分に形成された該中央の垂直壁の隙間内に挿入し、前記孔設穴と反対側の部片の上辺と下辺とを、外箱と左右垂直壁との間のそれぞれ隙間に挿入・係止することを特徴とする扇状飾り付き贈答箱である。
【００１０】
ブランクシートとは、紙などのシートを打ち抜いて得られたものであり、箱などの目的物を組み立てる前の状態のものを指す。
隣接線を山谷に交互に折り畳むとは、並んでいる隣接線の隣接線を山状に折り畳んだら隣の隣接線を谷状に折り畳み、次の隣接線を山状に折り畳むことを交互に繰り返すことを意味し、いわゆるアコーディオンの蛇腹状にすることである。
折り畳み部材に隣接して並べられた係止片とは、折り畳み用部材と係止片とを一体に打ち抜いて得られたブランクシートに設けられたものを指すものとする。
係止部材とは、ブランクシートととは別に作られたもので、ブランクシートに取り付けて使用するものを指すものとする。
【００１１】
【発明の実施の形態】
以下本発明の実施の形態につき説明する。
ブランクシートのシートは主として紙、プラスチックシートなどであり、これらの複合シートでも良い。また、補助的に、金属箔、不織布なども用いても良い。
紙、プラスチックシートには、金などを蒸着したものでも良い。
シートには、通常絵柄、文字など印刷が施される。
【００１２】
係止部材は、紐や糸、針金など、またシートを打ち抜いたものなどでり、材質や形状に制約されるものではない。
【００１３】
折り重なった部分を互いに離れないように固定するには、粘着テープでくるむ、接着剤で細長い部片同士を貼る、ホッチキスで止める、ねじ類や鋲類で止めることなどで行なう。場合によりこれらの処置をしなくとも良い。例えば、折り重なった部分を折り重なった部分の形状に近くなっている穴に差し込むことである。
折り畳み部品を扇状に開くには、通常手で強制的に行なうが、閉じようとする力が働くので、係止片や係止部材で、箱の壁、箱内の中仕切りや箱と中仕切りの隙間の挿入することにより係止させることにより、扇状に開いた状態を保たせることができる。
【００１４】
【実施例】
以下実施例により本発明を図を用いて詳細に説明する。
〈実施例１〉
シートとして厚紙を用いて、打ち抜いて、図１（ロ）に示すようなブランクシート１０を作成した。すなわち、図１（イ）に示すような左辺１１と右辺１２とが平行に並んだ側辺と上辺１３と下辺１４とからなる４角形の部片１５を、図１（ロ）に示すように、側辺同士を隣接線１６として左右に１４個並べた折り畳み用部材１７とからなるものである。折り畳み用部材１７がブランクシート１０ととなる。
このブランクシート１０の隣接線１６から山谷に交互に折り畳んで、部片１５が折り重なった図２に示すような折り畳み部品２０を作成した。
この折り畳み部品２０の下部であって折り重なった部分２１を互いに離れないように固定するために、この部分を粘着テープ（図には省略）でくるんだ。このようにして、固定部分と固定されてない非固定部分２２を作った。
【００１５】
別に、図３（イ）に示すような切り込み部３１を有する中仕切り用シート３０を折り込み線３２から折り込んで、図３（ロ）に示すような左中右の３個の垂直壁３３と左右の垂直壁３３には切り込み部３１を中の垂直壁には挿入部３４（折り畳まれているが拡げて穴にすることができる）とを有する中仕切り３５を作成した。
予め準備しておいた図４（イ）に示すような外箱３６にこの中仕切り３５を挿入して図４（ロ）に示すような中仕切り入り贈答箱３７を作成した。この中に、商品（収納物）４１として清酒を収納して、図５に示すように商品入り贈答箱４０を作成した。
【００１６】
この商品入り贈答箱４０の中仕切り３５の挿入部３４の穴に、先に作成した固定部分と非固定部分２２を有する折り畳み部品２０の固定部分を挿入して、固定部分を支点として非固定部分を図６（イ）に示すように扇状に開いて扇状飾り６０とし、同時に扇状に開かれた左端と右端との部片１５の上部先端を切り込み部３１にはめ込んで、図６（ロ）に示すような扇状飾りを有する贈答箱６１を作成した。
【００１７】
清酒を収納した贈答箱内に収められた扇状飾り６０が、平面状ではなく、立体的にできているので、より高級に見え、人目をひくものであった。
【００１８】
〈実施例２〉
シートとして厚紙を用いて、打ち抜いて、図７に示すようなブランクシート１０を作成した。すなわち、１４個の部片１５を隣接線１６を介して左右に並べた折り畳み用部材１７と、左端の部片１５の左側端上部に取り付けられた係止片１８及び右端の部片１５の右側端上部に取り付けられた係止片１８’とからなるものである。
このブランクシート１０の隣接線１６から山谷に交互に折り畳んで、部片１５が折り重なった図８（イ）（ロ）に示すような折り畳み部品２０を作成した。
この折り畳み部品２０の下部であって折り重なった部分２１を互いに離れないように固定するために、この部分を図８（ロ）に示すように粘着テープ２３でくるんだ。このようにして、固定部分と非固定部分とを作った。
【００１９】
次に、実施例１で使用した商品入り贈答箱４０を使用して、中仕切り３５の挿入部３４の穴に、折り畳み部品２０の固定部分２１を挿入し、固定部分２１を支点として非固定部分２２を図９（イ）に示すように扇状に開いて扇状飾り６０とし、同時に係止片１８、１８’も図に示すように折り畳んで、この係止片を箱と仕切との隙間３９’に挿入・係止して扇状飾り６０を贈答箱内に挿着して、扇状飾りを有する贈答箱６１を作成した。
【００２０】
清酒を収納した贈答箱内に収められた扇状飾り６０が、平面状ではなく、立体的にできているので、より高級に見え、人目をひくものであった。
【００２１】
〈実施例３〉
シートとして厚紙を用いて、打ち抜いて図１０に示すようなブランクシート１０を作成した。すなわち、１４個の部片１５を隣接線１６を介して左右に並べた折り畳み用部材１３と、右端の部片１５の右側端の上部と下部とに取り付けられた係止片１８、１８’とからなるものである。
このブランクシート１０の隣接線１６から山谷に交互に折り畳んで部片１５が折り重なった図１１に示すような折り畳み部品２０を作成した。
【００２２】
この折り畳み部品２０を、図１２に示すように、中央部７３を互いに離れない固定部分とし、この部分を支点として中央部７３の両側にある非固定部分をそれぞれ扇状に開いて２個の扇状とし、次に係止片１８と係止片１８’とを有する部片が中央部を折り目として２つ折り状に合わせた状態とし（係止片１８と係止片１８’とが向かい合う）、左端の部片１５がほぼ一直線状のままにして２個の扇が一つの扇になった扇状飾り６０を作成した。この時中央部は特に固定しなくても互いに離れないような状態になって固定されていた。
この扇状飾り６０の係止片１８と１８’を、実施例１で使用した商品入り贈答箱４０（図５）の隙間３８に挿入し、左端の部片の上辺と下辺とをそれぞれ隙間３９に挿入した。
このようにして図１３に示すような扇状飾りを有する贈答箱６１を作成した。
【００２３】
清酒を収納した贈答箱内に収められた扇状飾り６０が、平面状ではなく、立体的にできているので、より高級に見え、人目をひくものであった。
【００２４】
〈実施例４〉
シートとして厚紙を用いて、打ち抜いて図１４に示すようなブランクシート１０を作成した。すなわち、１４ケの部片１５を隣接線１６を介して左右に並べた折り畳み用部材１７とからなるものである。また予め左端の上部に部片１５及び右端の部片１５の上部にはそれぞれ穴７１、７１’を設けた。
別に、係止部材８０として図１５のような瘤付き紐を２ケ準備して、ブランクシートの穴（７１、７１’）にそれぞれ紐を通して瘤で固定し、図１６に示すような係止材部付きブランクシート９０を作成した。
この係止材部付きブランクシート９０の隣接線を山谷に折り畳んで部片１５が重なった折り畳み部品を作成した。
この折り畳み部品の下部であって折り重なった部分を互いに離れないように固定するために、この部分を粘着テープでくるんだ。このようにして、固定部分と非固定部分を作った。
【００２５】
次に、固定部分を支点として非固定されてない部分を扇状に開いて、同時に係止部材８０の紐の先端を、実施例１で使用した商品入り贈答箱４０（図５）の切り込み部３１に挿入し、固定部を隙間３４に挿入した。
このようにして、扇状飾りを有する贈答箱（図は省略）を作成した。
【００２６】
〈実施例５〉
シートとして厚紙を用いて、打ち抜いて図１７に示すようなブランクシート１０を作成した。すなわち、１４ケの部片１５を隣接線１６を介して左右に並べた折り畳み用部材１７とからなるものである。かつ右端の部片１５の上部と下部とにはそれぞれ穴７２、７２’を設けた。
このブランクシート１０の隣接線１６から山谷に交互に折り畳んで部片１５が重なった折り畳み部品を作成した。  別に準備されたして係止部材８０としての１本の紐を、折り畳み部品の穴（７２、７２’）の一方の穴から他方の穴に通した。
この係止部材８０付きブランクシート１０の隣接線１６から山谷に交互に折り畳んで部片１１が重なった係止部材付き折り畳み部品を作成した。
【００２７】
図１８に示すように、この係止部材付き折り畳み部品の中央部７３を互いに離れない固定部分とし、この部分を支点として中央部７３の両側の非固定部分をそれぞれ扇状に開き、次に穴（７２、７２’）を有する部片が中央部７３を折り目として２つ折り状に合わせた状態とし、次いで紐を結んで扇状に開いた状態を保ち、左端の部片がほぼ一直線状にして一つの扇状飾り６０を作成した。この扇状飾り６０は実施例３における扇状飾りと同じ状態のものである。また、この時中央部は特に固定しなくても互いに離れないような状態になって固定されていた。
この扇状飾り６０を実施例１で使用した清酒を収納した贈答箱に取り付けたのが図１９に示すものである。
【００２８】
清酒を収納した贈答箱内に収められた扇状飾り６０が、平面状ではなく、立体的にできているので、より高級に見え、人目をひくものであった。
【００２９】
【発明の効果】
本発明は以上の構成であるから、下記に示す如き効果がある。
すなわち、本発明の扇状飾りを清酒などの商品入り贈答箱に取り付けることにより、扇状飾りが立体的効果を示すことができたので、人の注目を引き付け、また商品がより高級に見えた。
従って、本発明は贈答箱に取り付けて使われる扇状飾りとして、優れた実用上の効果を発揮する。
【図面の簡単な説明】
【図１】（イ）：本発明の実施例を示す、左辺と右辺とが平行に並ぶ２つの側辺と上辺と下辺との４角形からなる部片の平面図である。
（ロ）：本発明の実施例１を示す、ブランクシートの平面図である。
【図２】本発明の実施例１を示す、折り畳み部品の斜視図である。
【図３】（イ）：本発明の実施例を示す、中仕切用シートの平面図である。
（ロ）：本発明の実施例を示す、中仕切用シートから作られた中仕切りの斜視図である。
【図４】（イ）：本発明の実施例を示す、外箱の斜視図である。
（ロ）：本発明の実施例を示す、中仕切り入り贈答箱の斜視図である。
【図５】本発明の実施例を示す、商品入り贈答箱の斜視図である。
【図６】（イ）：本発明の実施例１を示す、扇状飾りの斜視図である。
（ロ）：本発明の実施例１を示す、扇状飾りを有する贈答箱の斜視図である。
【図７】本発明の実施例２を示す、ブランクシートの平面図である。
【図８】（イ）：本発明の実施例２を示す、折り畳み部品の平面図である。
（ロ）：本発明の実施例２を示す、折り畳み部品の固定部の断面図である。
【図９】（イ）：本発明の実施例２を示す、扇状飾りと取り付け方法を示す斜視図である。
（ロ）：本発明の実施例２を示す、扇状飾りを有する贈答箱の斜視図である。
【図１０】本発明の実施例３を示す、ブランクシートの平面図である。
【図１１】本発明の実施例３を示す、折り畳み部品の斜視図である。
【図１２】本発明の実施例３を示す、扇状飾りの斜視図である。
【図１３】本発明の実施例３を示す、扇状飾りを有する贈答箱の斜視図である。
【図１４】本発明の実施例４を示す、ブランクシートの平面図である。
【図１５】本発明の実施例４を示す、係止部材の斜視図である。
【図１６】本発明の実施例４を示す、係止部材付きのブランクシートの平面図である。
【図１７】本発明の実施例５を示す、ブランクシートの平面図である。
【図１８】本発明の実施例５を示す、扇状飾りの斜視図である。
【図１９】本発明の実施例５を示す、扇状飾りを有する贈答箱の斜視図である。
【符号の説明】
１０：ブランクシート
１１：左辺
１２：右辺
１３：上辺
１４：下辺
１５：部片
１６：隣接線
１７：折り畳み用部材
１８：係止片
１８’：係止片
２０：折り畳み部品
２１：折り重なった部分
２２：非固定部分
２３：粘着テープ
３０：中仕切り用シート
３１：切り込み部
３２：折り込み線
３３：垂直壁
３４：挿入部
３５：中仕切り
３６：外箱
３７：中仕切り入り贈答箱
３８：隙間
３９：隙間
３９’：箱と中仕切りとの隙間
４０：商品入り贈答箱
４１：商品（収納物）
６０：扇状飾り
６１：扇状飾りを有する贈答箱
７１：穴
７１’：穴
７２：穴
７２’：穴
７３：中央部
８０：係止部材
９０：係止材部付きブランクシート
【図１】
0004332943.tif 000002
【図２】
0004332943.tif 000003
【図３】
0004332943.tif 000004
【図４】
0004332943.tif 000005
【図５】
0004332943.tif 000006
【図６】
0004332943.tif 000007
【図７】
0004332943.tif 000008
【図８】
0004332943.tif 000009
【図９】
0004332943.tif 000010
【図１０】
0004332943.tif 000011
【図１１】
0004332943.tif 000012
【図１２】
0004332943.tif 000013
【図１３】
0004332943.tif 000014
【図１４】
0004332943.tif 000015
【図１５】
0004332943.tif 000016
【図１６】
0004332943.tif 000017
【図１７】
0004332943.tif 000018
【図１８】
0004332943.tif 000019
【図１９】
0004332943.tif 000020